(57)【特許請求の範囲】
【請求項１】
胴（４）に取り付けられたクランプ装置（６）のレジスタピン（２１，２２）にそれぞれ当接するレジスタ切欠き（２３，２４）を備え、ブランケット材料（１３）とクランプ条片（１１）からでできている、胴（４）に張り渡し可能なゴムブランケット（５）であって、
前記クランプ条片（１１）は、前記ブランケット材料（１３）の前側エッジ（１６）から突出するように、前記ブランケット材料（１３）の下面にのみ接着されており、
前記レジスタ切欠き（２３，２４）は、前記クランプ条片（１１）にのみ設けられ、かつ各々Ｕ字状の輪郭を有している
ことを特徴とするゴムブランケット。
【請求項２】
前記ブランケット材料（１３）と前記クランプ条片（１１）との間の少なくとも１つのコーナー角が、接着剤あるいは加硫により封印されている、請求項１記載のゴムブランケット。
【請求項３】
前記ゴムブランケット（５）が、前記クランプ条片（１１）だけを捕捉するクランプ装置（６）によって胴（４）に固定されている、請求項１記載のゴムブランケット。
【発明の詳細な説明】
【０００１】
【発明の属する技術分野】
本発明は、レジスタ切欠きを備え、ブランケット材料でできている、胴に張り渡し可能なゴムブランケットに関する。
【０００２】
【従来の技術】
ドイツ特許出願公開明細書３５４５１７２Ａ１号には、まず印刷機の外部で、レジスタ切欠きがクランプ装置のレジスタピンに当接するまで、レジスタ切欠きを備えたゴムブランケットのブランケット端部をクランプ装置のクランプ条片の間に挿入する方法が記載されている。次いで、クランプ装置のクランプ条片をクランプネジで結合する。続いてクランプ装置をゴムブランケットとともに印刷機の胴に取り付ける。
【０００３】
【発明が解決しようとする課題】
上述の方法は、版を胴に固定する役目をするクランプ装置が恒常的に胴に配置されている印刷機やニス引き機には適していない。版はその曲げ剛性が高いために、たとえばドイツ特許明細書４２１４２０７Ｃ１号に記載されているような胴への版の巻き付けを必要とするので、そのために恒常的に胴に取り付けられたクランプ装置が使用される。
【０００４】
冒頭に述べた分野に相当し、すでに上述した公開公報（ドイツ特許出願公開明細書３５４５１７２Ａ１号）に記載されているゴムブランケットは、切欠き式のインラインニス引きについては見当の合ったアライメントを可能にするものの、レジスタ切欠きが柔らかいブランケット材料に直接設けられているので種々の面で不都合である。
【０００５】
一つには、レジスタ切欠きの形状安定性が非常に低い。たとえばゴムブランケットの固定を頻繁に繰り返す場合や、ゴムの膨張によってレジスタ切欠きの歪みが起こらないとはいえない。そのうえ、ゴムブランケットの不注意な取扱をするとレジスタ切欠きに裂目が形成される危険性が存在する。
【０００６】
別の面では、容易に変形可能なレジスタ切欠きは、印刷機の外部で行われる非常に慎重な、不安定なブランケット端部のアライメントとクランプ固定とを必要とする。
【０００７】
さらにドイツ特許出願明細書９４１６００７Ｕ１号にはクランプ条片を備えたゴムブランケットが記載されており、このクランプ条片は平板として構成される場合にはゴムブランケットの上面にだけこれと加硫結合されるので、このクランプ条片はゴムブランケットの端部で平坦に終わっている。このゴムブランケットの構成は種々の点で不都合である。
【０００８】
一つには、このゴムブランケットは切欠き式のインラインニス引きには適していない。このようなインラインニス引きは塗料切欠きに応じた、ゴムブランケットの一番上のゴム層の局所的な切り落としを必要とするからであり、このことは上述した公開公報（ドイツ特許出願公開明細書３５４５１７２Ａ１号）に詳細に記載されているとおりである。ゴムブランケットがレジスタ切欠きを有していないため、見当の合った切り落としは印刷機の内部でしか可能でなく、このことは非常に面倒である。
【０００９】
別の面では、平板として構成されたクランプ条片をもつゴムブランケットは、クランプ受け部とクランプジョーとの間の最大の開口幅が、ブランケット材料の厚さと、ブランケット材料と結合されるクランプ条片の厚さとを足した幅よりも大きいクランプ装置を前提としている。しかしながら、わずかに偏心された偏心軸の回転によって閉止可能なクランプ装置は必ずしもこのように広い開口幅を備えていない。
【００１０】
本発明の目的は、レジスタ切欠きを備えたゴムブランケットをアライメントするのに格別よく適したゴムブランケットを提供することである。
【００１１】
【課題を解決するための手段】
上述の目的は、請求項１の構成要件を備えたゴムブランケットによって達成される。
【００１２】
本発明の前提として、クランプ装置が胴に取り付けられているときにレジスタ切欠きがレジスタピンに当接させられる。
【００１３】
クランプ装置が恒常的に胴に配置されている印刷機やニス引き機に非常によく適しており、クランプ装置はもともと版を固定するためだけのものであったが、レジスタ切欠きがレジスタピンに当接させられることによって選択的にゴムブランケットの固定にも利用できるようになる。レジスタピンに対して相対的なレジスタ切欠きのアライメント、およびゴムブランケットのクランプ固定は、印刷機またはニス引き機の内部で行われる。
【００１４】
本発明によるゴムブランケットは、クランプ条片が、ブランケット材料の前側エッジから突出するように、ブランケット材料の下面にのみ接着されており、レジスタ切欠きが、クランプ条片にのみ設けられ、かつ各々Ｕ字状の輪郭を有していることを特徴とする。
【００１５】
このゴムブランケットではレジスタ切欠きの高い形状安定性が保証され、それにより、ゴムブランケットの見当の合った多数回の張り渡しが長い使用期間にわたって可能となる。クランプ条片は硬質の金属テープまたはプラスチックテープとして構成されていてよい。たとえばクランプ条片はアルミニウムテープとして構成すれば十分に抵抗力が強い。ゴムブランケットをアライメントするには、クランプ条片に設けられたレジスタ切欠きを、胴に取り付けられたクランプ装置のレジスタピンと係合させる。
【００１６】
従属請求項にはゴムブランケットの有利な実施態様が記載されている。
【００１７】
レジスタ切欠きが傾動せずにレジスタピンに突き当たるという点で有利な実施態様では、クランプ条片が、胴の方を向いていてたとえば織物でできたゴムブランケットのブランケット材料の裏面に配置されている。したがってクランプ条片がクランプ装置に挟み込まれると、クランプ条片はクランプ装置のクランプ受け部の上に直接載ることになる。
【００１８】
開口幅が小さいクランプ装置という点で有利な実施態様では、クランプ条片が、有利には印刷開始部に位置するゴム引きされたブランケット材料のブランケット端部から突出している。したがってクランプ装置を用いて胴にゴムブランケットを固定する際にはクランプ条片しか必要でなく、ブランケット材料をクランプ装置に挿入してこれとクランプ固定することはない。約０．３ｍｍであるクランプ条片の厚さは、約２ｍｍであるブランケット材料の厚さより何倍も薄い。そのため、開口幅がゴムブランケットの厚さよりも少ないクランプ装置にゴムブランケットをクランプ固定することさえ可能である。
【００１９】
クランプ条片の経済的な製造という点で有利な実施態様では、クランプ条片だけがレジスタ切欠きを備えていて、ゴム引きされたブランケット材料はこれを備えていない。クランプ条片がすでにブランケット材料としっかり結合されているときにクランプ条片だけから、またはクランプ条片とブランケットから同時にレジスタ切欠きを打抜くことも考えられるものの、クランプ条片が柔軟なブランケット材料と結合される前にレジスタ切欠きをクランプ条片に打抜くほうが好都合である。
【００２０】
クランプ条片がブランケット材料から剥がれ落ちる危険を低減させるという点で有利な実施態様では、クランプ条片とブランケット材料の間の加硫間隙または接着間隙が外側で封印され、そのためには、すでにクランプ条片とブランケット材料を広域で接着するために役立っている接着剤を再度使用することができ、もしくは封印用に特別に設けられた別の接着剤を使用することができる。接着剤は、ブランケット材料がクランプ条片とともに形成するコーナー角で塗布されるので、コーナー角は部分的に接着剤のくさびで充填されて、ゴムブランケットの長期の使用期間の後でも柔軟なブランケット材料がクランプ条片から剥がれることが絶対的に確実に防止される。
【００２１】
封印は、クランプ条片とブランケット材料とを接着で結合するときだけでなく、ブランケット材料をクランプ条片に加硫することによる結合の場合にも有利である。クランプ条片とブランケット材料との接着結合または加硫結合に加えて、たとえばリベットを用いてこれらを嵌合で結合することも考えられる。
【００２２】
ゴムブランケットが非可撓的かつそれによって確実にクランプ装置に挟み込まれるという点で有利な実施態様では、クランプ装置にクランプ条片だけが挟み込まれ、柔らかいブランケット材料は挟み込まれない。クランプ条片のフランジ側だけがクランプ装置用として意図され、ブランケット材料の非常に柔らかいゴム面（上面）や力作用面または接触面としての織物面（下面）はいずれもクランプ装置用として意図されていないことにより、頻繁に挟み込みと取り外しをした後でも、ブランケット材料に永久的に刻印され、あらためて挟み込みをする際に障害として現われる場合のあるクランプ跡がつく恐れがない。しかもクランプ条片とブランケット材料との高度に強力な接着は、驚くべきことに、ゴムブランケットをクランプするためのクランプ力から生じるせん断応力に耐えることが判明している。
【００２３】
レジスタピンを備えたクランプ装置を包含する印刷機胴またはニス引き機胴を可変に使用できる点で有利な実施態様では、クランプ装置の同一のレジスタピンに、ゴムブランケットのレジスタ切欠き、およびゴムブランケットと交換して胴に張り渡し可能な版のレジスタ切欠きをいずれも見当正しく差込可能である。ゴムブランケットのレジスタ切欠きは形状の点で版のレジスタ切欠きと実質的に一致している。たとえばレジスタピンの中心間隔はゴムブランケットのレジスタ切欠きの中心間隔と正確に同じ長さであるとともに、版のレジスタピンの中心間隔と正確に同じ長さである。必要に応じて胴に見当正しく張り渡され、たとえばフレキソ版として構成されている版の場合、この版は、たとえば１つの書体に対応する輪郭を備えたフィリグランのスポットニス引きに使用することができる。必要に応じて胴に見当正しく張り渡されるゴムブランケットの場合、このゴムブランケットは、単純な輪郭を備えていてたとえば長方形のニス引き切欠きによるニス引きに使用することができ、そのためにブランケット材料の一番上のゴム層はニス引き切欠きと合同に切り落とされる。当然ながら胴は、納品状態で事後的な切り落としをすることなく上にゴムブランケットを張り渡した場合には、全面的なニス引きとコーティングにも用いることができる。
【００２５】
本発明による方法および本発明によるゴムブランケットのその他の有利な実施態様は、以下に述べる有利な実施例の説明と、これに付属する図面から明らかである。
【００２６】
【発明の実施の形態】
次に、本発明の実施の形態について図面を参照して説明する。
【００２７】
図１には、複数のオフセット印刷ユニットを包含している輪転印刷機１が部分的に図示されている。この部分図は、オフセット印刷ユニットに被印刷体の搬送方向で見て後置されたニス引きユニットを示しており、このニス引きユニットはシート状の被印刷体３を搬送するための圧胴２と、クランプ装置６および７で胴４に固定されたゴムブランケット５を備えている胴４とを包含している。
【００２８】
ゴムブランケットは、被印刷体３の切欠き式のインラインニス引きのために少なくとも１つの切欠き９が切り落とされている、ニスを通す上側のゴム層８と、下側にある織物層１０と、この織物層１０に接着されたクランプ条片１１および１２で構成されている。層８および１０の間には中間層も介在している。少なくとも層８および１０からなるシート状の結合材料のことを以下においてはブランケット材料１３と呼ぶ。
【００２９】
クランプ条片１１および１２の上面がブランケット材料１３の短辺とともに形成するコーナー角、およびクランプ条片１１および１２の短辺がブランケット材料１３の下面とともに形成するコーナー角は、ゴムブランケットの幅全体にわたって塗布された封印１４を備えており、この封印には、クランプ条片１１および１２とブラケット材料１３とを接着するのに用いる接着剤とは別の接着剤が使用されている。
【００３０】
ブランケット材料１３のただ１つの側に配置されているクランプ条片１１および１２のそれぞれの全幅は２から３センチであり、全幅のほぼ半分に相当する突出幅（図２参照）であって各クランプ条片１１および１２がブランケット材料１３の対応するエッジ１６からこの突出幅の分だけ突出しているものと、残りのオーバーラップ幅であって各クランプ条片１１および１２がこのオーバーラップ幅にわたってブランケット材料１３と（破壊なしに）取外し不能に結合されているものとに分割されている。
【００３１】
ゴムブランケット５を張設するための引張装置に帰属しているクランプ装置６および７の各々は、クランプ受け部１７および１８とクランプジョー１９および２０とで構成されており、クランプジョーはクランプ受け部１７および１８に対して相対的に移動可能であり、それによってクランプ受け部１７および１８とクランプジョー１９および２０の間にはそれぞれのクランプ条片１１および１２だけがクランプ固定され、それに対してブランケット材料１３は完全にクランプ装置６および７の外部に位置している。別の言葉で言えば、ブランケット材料１３はクランプ条片１１および１２がクランプ固定されたときに、クランプ受け部１７とクランプジョー１９の間にも、クランプ受け部１８とクランプジョー２０の間にも存在していない。
【００３２】
印刷開始部に割り当てられているほうのクランプ装置６だけは、挟み込まれたクランプ条片１１のレジスタ切欠き２３および２４を貫通するとともにクランプ条片１１に対するクランプ受け部１７の受け面から突出している２つの円柱状のレジスタピン２１および２２を包含している。レジスタピン２１は、ほぼ半円形をしたレジスタ切欠き２３にその内径に沿って当接し、レジスタピン２１と同様に構成されたレジスタピン２２は長方形のレジスタ切欠き２４の内壁に１つの接線点だけで接触しており、この様子は図２に見ることができる。このような当接を実現するために、切欠き２４の幅は切欠き２３の直径よりも若干大きくなっており、またピン２２の直径もピン２１の直径より若干小さくなっていてよい。
【００３３】
胴４へのゴムブランケット５の張り渡しは次のようにして行う：
まずゴムブランケット５を印刷機またはニス引き機１に挿入し、クランプ条片１１を一方の平坦側で胴４に配置されたクランプ受け部１７の上に載せ、レジスタピン２１および２２がレジスタ切欠き２３および２４に突き当たるまでその上で滑らせる。次いでクランプジョー１９を図示しない偏心軸でクランプ条片１１の他方の平坦側に押し付け、それによってクランプ条片１１は固着され、ゴムブランケット５の前側の端部の見当が合った位置が固定される。
【００３４】
それから圧着ロール２５をブランケット材料１３に当てつけて胴４を回転させ、そうすることで圧着ロール２５は印刷開始部から印刷終了部の方向へブランケット材料１３の上を転動し、それによってブランケット材料を緩みなく前方から後方へ平滑に胴４の上に装着する。
【００３５】
圧着ロール２５が印刷終了部に達した後、胴４に配置されたクランプ受け部１８にクランプ条片１２を、胴４へのゴムブランケット５の張り渡しで生じたアライメントで載せ、クランプ装置７を閉じることによってこのアライメントを固定する。その他の点では設計的にクランプ装置６に対応しているクランプ装置７はレジスタピンを包含しておらず、クランプ条片１２は、ゴムブランケット５の前側の端部にだけ必要で後側の端部には必要でないレジスタ切欠きなしで構成されている。次いでクランプ装置６，７を相互に位置調節し、それによってゴムブランケット５を引っ張る。このとき引張力の力の流れはクランプ装置７からクランプ条片１２を介し、さらに平面状の接着部２６を介し、さらに別の接着部２７を介して、最終的にクランプ条片１１を介してクランプ装置６へと進行する。たとえば３Ｍ社のＮｏ．５８８のような適当な接着剤で製作した接着部２６および２７は１平方ミリあたり４ニュートン以上の十分に高いせん断強さを備えており、図示した実施例とは別に考えられる、クランプ装置６，７を使った負荷中の接着部分１１，１３ないし１２，１３の押し付けをしなくても、長い耐用期間にわたってこのような負荷に耐えることが判明している。
【００３６】
ゴムブランケットおよび胴４とともに見当合わせシステムを形成している版２８は、ゴムブランケット５との交換で必要に応じて胴４に張り渡し可能である。レジスタピン２１および２２を使った版２８の位置決め、圧着ロール２５を使った版２８の張り渡し、およびクランプ装置６，７への版の端部のクランプ固定などは、ゴムブランケット５の張り渡しに関してすでに説明したのと同じやり方で行われる。
【００３７】
そのために版２８の前側の端部はレジスタ切欠き３０，３１（レジスタ切欠き３０は図１では背後にあるレジスタ切欠き３１を隠している）を備えており、これらのレジスタ切欠きは形状の点でレジスタ切欠き２３および２４に一致するとともに、その中心間隔はレジスタ切欠き２３および２４の中心間隔とまったく同様にレジスタピン２１および２２の中心間隔２９と一致している。
【００３８】
わずかしか開いていないクランプ装置６および７に版２８の端部を挿入できるようにするため、版の端部は突出幅１５にほぼ相当する幅にわたって、クランプ条片１１および１２の厚さにほぼ相当する厚さになるように先細になっている。版２８は、印刷画像を備えていて印刷をするレリーフ層３２を備えたフレキソ版であり、このレリーフ層は印刷画像の現像プロセスのときには版の端部の領域で先細になる。レリーフ層３２が感光性樹脂層である場合には、印刷画像の現像と版の端部の先細化とを洗い流しプロセスによって行うことができる。さらに版２８が多層版である場合には、レリーフ層３２を完全に安定した支持層３３まで剥離することができる。レジスタ切欠き３０，３１は、クランプ装置６で版２８の見当の合った位置決めをするのに用いる前に、すでに版２８の見当の合った位置決めのために、洗い流しプロセスに先行するとともに洗い流しの前には潜像でしかない印刷画像を生成する露光のときに用いられている。
【図面の簡単な説明】
【図１】胴と、その上に張り渡されたゴムブランケットとを示す側面図である。
【図２】ゴムブランケットを胴から取り外された状態で示す平面図である。
【符号の説明】
１    輪転印刷機またはニス引き機
２    圧胴
３    被印刷体
４    胴
５    ゴムブランケット
６    クランプ装置
７    クランプ装置
８    ゴム層
９    切欠き
１０    織物層
１１    クランプ条片
１２    クランプ条片
１３    ブランケット材料
１４    封印
１５    突出幅
１６    エッジ
１７    クランプ受け部
１８    クランプ受け部
１９    クランプジョー
２０    クランプジョー
２１    レジスタピン
２２    レジスタピン
２３    レジスタ切欠き
２４    レジスタ切欠き
２５    圧着ロール
２６    接着部
２７    接着部
２８    版
２９    中心間隔
３０    レジスタ切欠き
３１    レジスタ切欠き
３２    レリーフ層
３３    支持層
【図１】
0004944294.tif 000002
【図２】
0004944294.tif 000003